(57)【要約】【課題】  構成が簡単で省スペースの冷蔵室内高多湿化装置を提供する【解決手段】  冷蔵室４００内の湿度を多湿状態に保持するための冷蔵室内高多湿化装置は、貯水部１００からの水を霧化する霧化装置３００と、水ガス成分と水滴ミスト成分とに分離し、水ガス成分を選択的にナノミストとして供給する水ガス供給装置１００とを備え、水ガス供給装置は、ミスト導入口１０２と底部側に設けられた水排出口１０３とを備えた外側筒状体１０１と、外側筒状体１０１の内側に設けられ、ミストを導入するための上端開口部１１１と分離された水滴を排出する排出部１１２とを有する内側筒状体１１０と、内側筒状体１１０の内側に同心的に設けられ内側筒状体１１０の所定位置から外側筒状体１０１の頂部を突き抜けるように配置された両端部が開口した水ガス放出管１２０と、を備え、霧化装置３００は、冷蔵室内の雰囲気を戻す配管を備えている。【選択図】図１
2016095120.tif 000002
【特許請求の範囲】
【請求項１】
冷蔵室内の湿度を８０％から飽和空気内の多湿状態に保持するための冷蔵室内高多湿化装置であって、
貯水部と前記貯水部から供給された水をミスト状に霧化する霧化装置と、前記霧化装置からのミストを空気に混和するのに十分な粒子径を有するミスト成分である水ガス成分と、それ以上の粒子径を有する水滴ミスト成分とに分離し、前記水ガス成分を選択的にナノミストとして供給する水ガス供給装置とを備え、
前記水ガス供給装置は、前記ミストを螺旋状に導入するためのミスト導入口と底部側に設けられた水排出口とを備えた外側筒状体と、
前記外側筒状体の内側に設けられ、前記螺旋状に導入されたミストを導入するための上端開口部と分離された水滴を排出する排出部とを有する内側筒状体と、
前記内側筒状体の内側に同心的に設けられ前記内側筒状体の所定位置から前記外側筒状体の頂部を突き抜けるように配置された両端部が開口した水ガス放出管と、
を備え、
前記霧化装置は、前記冷蔵室内の空気を戻す戻し配管を備えたことを特徴とする冷蔵室内高多湿化装置。
【請求項２】
前記内側筒状体が平面視渦巻き状を有していることを特徴とする請求項１に記載の冷蔵室内高多湿化装置。
【請求項３】
前記内側筒状体または前記外側筒状体と前記内側筒状体の両者は水平方向に所定の回転数で回転させるためのモータを備えたことを特徴とする請求項２に記載の冷蔵室内高多湿化装置。
【請求項４】
前記第２の筒状体は、前記第１の筒状体に２以上接触または離間配置されていることを特徴とする請求項１から請求項３のいずれか１項に記載の冷蔵室内高多湿化装置。
【請求項５】
請求項１から請求項４のいずれか１項の蔵室内高多湿化装置を備えた冷蔵庫。
【請求項６】
前記貯水部が冷蔵室内に配置されることを特徴とする請求項５に記載の冷蔵庫。
【請求項７】
前記無化装置、前記水ガス供給装置または両者が冷蔵庫と別体で設けられたことを特徴とする請求項５または請求項６に記載の冷蔵庫。
【請求項８】
前記冷蔵庫は、家庭用冷蔵庫であることを特徴とする請求項５から請求項７のいずれか１項に記載の冷蔵庫。
【発明の詳細な説明】
【技術分野】
【０００１】  本発明は、冷蔵室内高多湿化装置およびこれを備えた冷蔵庫に関する。
【背景技術】
【０００２】  従来から、肉や野菜などの生鮮食料品の鮮度を保つためや、商品の重量の減少を防ぐためには、水分の蒸発を防いで冷蔵することができる高湿度保管庫が使用されている。このような高湿度保管庫においては、庫内に冷却配管を設置して、庫内を自然対流によって冷蔵している。庫内の空気を強制的に循環させると、生鮮食料品などからの水分の蒸発が盛んになり、鮮度を保つことができなくなる。【０００３】  また、近年、霧化装置を用いて冷蔵室内の湿度を保つ技術が開示されている。例えば、特許文献１には、給水を行う装置を簡便にした上で、安定した噴霧量のミストを噴霧する霧化部を冷蔵庫の貯蔵室内に備える課題として貯蔵室の状態を検知して霧化部への結露の可否を判定する結露可否判定手段を備え、結露可否判定手段の結果が結露可能ならば電圧印加部を動作させ、結果が結露不可ならば前記電圧印加部を停止する制御手段を有したことで、貯蔵室内の環境を検知して外気の流入や野菜などの蒸散による水分から結露水を集めることができるときのみ霧化部を動作させることができ、確実に安定した噴霧量のミストの噴霧を行うことができることが開示されている。【０００４】  また、ノズルの一部を円筒形の帯電電極内に突入させ、高電圧電源によりノズルをプラス極、帯電電極をマイナス極として高電圧を印加し、ノズルから噴射される消臭剤の微粒子の水滴７５をマイナスに帯電させて静電霧化装置（特許文献２参照）が家庭用冷蔵庫内の高多湿維持に一般的に使用されている。
【先行技術文献】
【０００５】
【特許文献１】  特開２００９−２９３８９５号公報
【特許文献２】  特開２００５−２７０６６９号公報
【特許文献３】  特開平７−１３５９４５号公報
【発明の概要】
【発明が解決しようとする課題】
【０００６】  しかしながら、特許文献１および特許文献２に記載の発明は、冷蔵室内で霧化した水が水滴として庫内に残存することがあるとともに、飽和空気に近い状態を維持するのが困難である。【０００７】  また、冷蔵庫、特に家庭用の冷蔵庫の冷蔵室の限られたスペースあるいは冷蔵庫周辺のスペースに安定した飽和空気に近い状態に冷蔵室内の湿度を持たせることは困難である。【０００８】  したがって、本発明の課題は、構成が簡単で省スペースの冷蔵室内高多湿化装置およびこれを備えた冷蔵庫を提供することである。
【課題を解決するための手段】
【０００９】  上記課題を解決する本発明は、次の各項目に関する。
１  冷蔵室内の湿度を８０％から飽和空気内の多湿状態に保持するための冷蔵室内高多湿化装置であって、
貯水部と前記貯水部から供給された水をミスト状に霧化する霧化装置と、前記霧化装置からのミストを空気に混和するのに十分な粒子径を有するミスト成分である水ガス成分と、それ以上の粒子径を有する水滴ミスト成分とに分離し、前記水ガス成分を選択的にナノミストとして供給する水ガス供給装置とを備え、
前記水ガス供給装置は、前記ミストを螺旋状に導入するためのミスト導入口と底部側に設けられた水排出口とを備えた外側筒状体と、
前記外側筒状体の内側に設けられ、前記螺旋状に導入されたミストを導入するための上端開口部と分離された水滴を排出する排出部とを有する内側筒状体と、
前記内側筒状体の内側に同心的に設けられ前記内側筒状体の所定位置から前記外側筒状体の頂部を突き抜けるように配置された両端部が開口した水ガス放出管と、
を備えたことを特徴とする冷蔵室内高多湿化装置。【００１０】２  前記内側筒状体が平面視渦巻き状を有していることを特徴とする１に記載の冷蔵室内高多湿化装置。【００１１】３  前記内側筒状体または前記外側筒状体と前記内側筒状体の両者は水平方向に所定の回転数で回転させるためのモータを備えたことを特徴とする２に記載の冷蔵室内高多湿化装置。【００１２】４  前記第２の筒状体は、前記第１の筒状体に２以上接触または離間配置されていることを特徴とする１から３のいずれか１項に記載の冷蔵室内高多湿化装置。【００１３】５  １から４のいずれか１項の蔵室内高多湿化装置を備えた冷蔵庫。【００１４】６  前記貯水部が冷蔵室内に配置されることを特徴とする請求項５に記載の冷蔵庫。【００１５】７  前記無化装置、前記水ガス供給装置または両者が冷蔵庫と別体で設けられたことを特徴とする５または６に記載の冷蔵庫。【００１６】８  前記冷蔵庫は、家庭用冷蔵庫であることを特徴とする５から７のいずれか１項に記載の冷蔵庫。
【発明の効果】
【００１７】  本発明によると、水ガス供給装置がミストを螺旋状に導入するためのミスト導入口と底部側に設けられた外側筒状体と前記外側筒状体の内側に設けられ、前記螺旋状に導入されたミストの導入口と、分離した水性ガス成分を供給する供給口を有する水ガス供給口とを備えた少なくとも１つの内側筒状体とから構成されているので、冷蔵室内を確実に水ガスにより高多湿化することが可能であるとともに、非常にコンパクトに設計できる。
【図面の簡単な説明】
【００１８】
【図１】  本発明の水ガス供給装置を備えた冷蔵庫の一例を示す図面である。
【図２】  本発明に適用する水ガス供給装置の一例を示す図面である。
【図３】  （ａ）、（ｂ）は図２に示す水ガス供給装置の平面図である。
【図４】  本発明に適用する水ガス供給装置の別の一例を示す図面である。
【図５】  （ａ）、（ｂ）は図４に示す水ガス供給装置の平面図である。
【図６】  （ａ）、（ｂ）は本発明に適用する霧化装置の一例を示す図面である。
【図７】  本発明に適用する霧化装置の別の一例を示す図面である。
【図８】  本発明に適用する霧化装置のさらに別の一例を示す図面である。
【発明を実施するための形態】
【００１９】  以下、本発明の実施の形態を添付図面に基づいて説明する。
図１に示す通り、本発明の水ガス供給装置１００は、貯水部２００と貯水部２００から供給された水をミスト状に霧化する霧化装置３００と、霧化装置３００からのミストを空気に混和するのに十分な粒子径を有するミスト成分である水ガス成分と、それ以上の粒子径を有する水滴ミスト成分とに分離し、前記水ガス成分を選択的にナノミストとして供給する水ガス供給装置とを備えた冷蔵室内高多湿化装置４００である。この冷蔵室内高多湿化装置４００は、水ガス成分を選択的にナノミストとして供給する水ガス供給装置とを備えた水ガスをナノミストとして供給するとともに、余剰な空気は絶えず霧化装置３００側へと戻され、絶えず一定の湿度（相対湿度８０％以上、好ましくは９０％以上、より好ましくは９５％以上）。
【００２０】  なお、本発明で使用する用語「水ガス」とは、霧化装置により発生したミストのうち所定温度で大気中に放出した際に、液状の水として存在しない水（粒子）を有する気体状の水をいい、一般的にはいわゆる「ナノミスト」と同義である。また、飽和空気とは、所定状態で相対湿度が９０％以上の空気を意味する。
【００２１】  本発明で使用される水ガス供給装置１００（以下、本発明の水ガス供給装置）は、水滴として液体の水として存在する水と水ガスとして存在する水とを比重差により分離して水ガスを選択的に供給する装置である。
【００２２】  図２から図５に示す通り、本発明の水ガス供給装置１００は、霧化装置３００（図１参照）からのミストを螺旋状に導入するためのミスト導入口１０２と底部側に設けられた水排出口１０３とを備えた外側筒状体１０１と、外側筒状体１０１の内側に設けられ、前記螺旋状に導入されたミストを導入するための上端開口部１１１と分離された水滴を排出する排出部１１２とを有する内側筒状体１１０と、内側筒状体１１０の内側に同心的に設けられ内側筒状体１１０の所定位置から外側筒状体１０１の頂部を突き抜けるように配置された両端部が開口した水ガス放出管１２０とを備えている。
【００２３】  そして、水ガス放出管１２０は、下端側の開口部からミストを導入して上端側の開口部から水ガスを放出する構成となっている。
【００２４】  図２に示す例では、ミスト導入口１０２を外側筒状体１０１の下方側に配置して下方側から上方側に向かってミストを導入し、上方側から内側筒状体１１０を経て水ガスとして放出する構成としている。また、所望に応じて、内側筒状体１１０の側面に図示しない切込み部を設けてそこからミストを導入する構成にすることもできる。
【００２５】  このように構成することにより、省スペースで導入されたミストが長い滞留時間を取ることができ、効率的に水滴と水ガスとに分離し、水ガスを効率的に放出可能となる。
【００２６】  また、図３（ａ）、（ｂ）に示す通り、外側筒状１０１に複数個の内側筒状体１１０、１１０’を接触させてあるいは離間配置することもできる。このように配置することにより、例えば水ガスを複数個所から導入することによって、冷蔵室４００内へ水ガスを均一に供給可能となる。
【００２７】  さらに、図４に示す通り、ミスト導入口１０２を外側筒状体１０１の上側に設け、図４および図５（ａ）、５（ｂ）に示す通り、内側筒状体１１０を平面視渦巻き形状に構成し、ミスト導入口からの渦巻き状の気流と適合するように構成することも可能である。
【００２８】  本発明の特定の実施形態において、図４および図５（ａ）、（ｂ）に示す水ガス供給装置は、内側筒状体１１０または外側筒状体１０１と内側筒状体１１０の両者は水平方向に所定の回転数で回転させるための図示しないモータにより所定速度で回転させることも可能である。このように構成することにより、ミスト供給口１０２から供給されたミストは、回転により外側筒状体１０１および内側筒状体１１０の壁面に衝突し水滴の圧砕が生じ、水ガス量の増加および負イオン量の増加が見込める。
【００２９】  この場合、内側筒状体１１０の側面の全部または一部をメッシュ等により構成するとミストのメッシュ面への衝突機会が増加する。
【００３０】  なお、図２および図３（ａ）、（ｂ）に示す実施形態と同様に図４および図５（ａ）、（ｂ）においても外側筒状１０１に複数個の内側筒状体１１０、１１０’を接触させてあるいは離間配置することもできる。
【００３１】  このように構成することにより、省スペースで導入されたミストが長い滞留時間を取ることができ、効率的に水滴と水ガスとに分離し、水ガスを効率的に放出可能となる。
【００３２】  このような本発明の冷蔵室内高多湿化装置において、本発明の水ガス供給装置３００にミストを導入するために種々の霧化装置３００は、所望に応じて適宜選択することが可能である。以下、代表例として図６から図８に基づいて説明する。
【００３３】  図６（ａ）、（ｂ）に示す霧化装置は、ノズル３０１によりミストを発生する機構である。図６（ａ）の場合、外側管と内側管の二重構造の管体の内側管のある所定位置にガス導入孔を設け内側管から高圧で流入する水に同伴して空気と気液混合して圧力差によりミスト化する方式である。所望に応じてミスト排出側に衝突部（図示せず）を設けて気液混合物中に水滴を圧砕することも可能である。
【００３４】  一方、図６（ｂ）に示す霧化装置は、外側管に高圧ガス（例えば高圧空気）を螺旋状に導入して圧力により気液混合してミストとする方式である。図６（ａ）と同様に所望に応じてミスト排出側に衝突部（図示せず）を設けて気液混合物中に水滴を圧砕することも可能である。
【００３５】  また、図７に示す霧化装置は、モータからの回転を伝達するモータ出力軸３０３により回転する回転体３０２により貯水部（貯留槽２００）の水を回転させて霧化する方式であり、図８に示す霧化装置は超音発信装置３０４によりミストを発生する方式であり、そして、図９に示すヒータ３０５によりミストを発生する方式であり、各々本発明のシステムに適用可能である。
【００３６】  このように、本発明のシステムは、各種霧化装置３００に容易に適用可能であるので、設計の自由度が高い。また、前述の通り、省スペースで導入されたミストが長い滞留時間を取ることができ、効率的に水滴と水ガスとに分離し、水ガスを効率的に放出可能となる。しかも、冷蔵室内の空気（雰囲気は、絶えず新鮮な水ガスと交換されているので長期間に亘って冷蔵室内を多湿状態に保つことが可能となる。
【産業上の利用可能性】
【００３７】  本発明によると、水ガス供給装置がミストを螺旋状に導入するためのミスト導入口と底部側に設けられた外側筒状体と前記外側筒状体の内側に設けられ、前記螺旋状に導入されたミストの導入口と、分離した水性ガス成分を供給する供給口を有する水ガス供給口とを備えた少なくとも１つの内側筒状体とから構成されているので、冷蔵室内を確実に水ガスにより高多湿化することが可能であるとともに、非常にコンパクトに設計できる。
【符号の説明】
【００３８】１００  水ガス供給装置
１０１  外側筒状体
１０２  ミスト導入口
１０３  水排出口
１１０  内側筒状体
１１１  上部開口部
１１２  排出部
１２０  水ガス放出管
２００  貯水部
２０１  貯水槽
３００  霧化装置
４００  冷蔵室
【図１】
2016095120.tif 000003
【図２】
2016095120.tif 000004
【図３】
2016095120.tif 000005
【図４】
2016095120.tif 000006
【図５】
2016095120.tif 000007
【図６】
2016095120.tif 000008
【図７】
2016095120.tif 000009
【図８】
2016095120.tif 000010